(57)【要約】【課題】フィルム画像の入力にかかる時間を短縮した画像読取装置を提供することを課題とする。【解決手段】画像読取装置１０は、ネガセッタ１２から送り出されたフィルムの各コマ画像の開始位置と、フィルムの全パーフォレーションと、を検出する第１検出部１４を有する。また、画像読取装置１０は、上記の開始位置に対応するコマ対応パーフォレーション位置を各コマ画像毎に設定して記憶する記憶部４８と、このコマ対応パーフォレーションを検出する第２検出部４２と、記憶部４８の記憶内容及び第２検出部４２から伝達された検出データに基づいて、各コマの画像をコマ番号毎に読み取る画像読取部４４と、を有する。記憶部４８は、第１検出部１４によって検出できなかったコマ画像の開始位置及びそれに対応するコマ対応パーフォレーション位置を、推算して記憶するようになっている。これにより、従来のようにフィルムを逆方向に搬送する必要がない。【選択図】        図２
2004282196.tif 000002
【特許請求の範囲】
【請求項１】
フィルムがセットされると共に、セットされたフィルムを送り出すフィルムセット部と、
前記フィルムセット部から送り出されたフィルムの各コマ画像の開始位置と、各コマ画像の外側に形成されたマークの位置と、を検出する第１検出手段と、
前記第１検出手段で検出された各コマ画像の開始位置及びマークの位置に基づいて、開始位置に対応するコマ対応マーク位置を各コマ画像毎に設定して記憶する記憶手段と、
前記第１検出手段の下流側に設けられ、各コマ画像毎にコマ対応マーク位置を検出する第２検出手段と、
前記記憶手段の記憶内容と、前記第２検出手段から伝達された検出データと、に基づいて、各コマ画像をコマ番号順に読み取る画像読取部と、
を有することを特徴とする画像読取装置。
【請求項２】
前記第１検出手段によって検出できなかったコマ画像の開始位置及びそれに対応するコマ対応マーク位置を、前記第１検出手段によってそのフィルムで検出できたコマ画像の開始位置及びそれに対応させて設定したコマ対応マーク位置に基づいて、前記記憶部が推算して記憶することを特徴とする請求項１に記載の画像読取装置。
【請求項３】
各コマ画像の外側に形成されたマークを、フィルムに形成されたパーフォレーションとすることを特徴とする請求項１又は２に記載の画像読取装置。
【請求項４】
前記第１検出手段と前記第２検出手段との間に、フィルムの表裏及び種類の少なくとも一方を判定し判定結果を前記画像読取部へ伝達する判定手段を有することを特徴とする請求項１〜請求項３のうち何れか１項に記載の画像読取装置。
【請求項５】
前記判定手段は、フィルムに印刷されたバーコードを検出して判定することを特徴とする請求項４に記載の画像読取装置。
【請求項６】
前記判定手段は、フィルム上の銀を赤外光により検出して判定することを特徴とする請求項４又は５に記載の画像読取装置。
【請求項７】
前記画像読取部よりも上流側に、フィルムのプレスキャンを行うプレスキャン部を設けたことを特徴とする請求項１〜請求項６のうち何れか１項に記載の画像読取装置。
【発明の詳細な説明】
【０００１】
【発明の属する技術分野】
本発明はフィルムの画像を読み取る画像読取装置に関し、更に詳細には、フィルム画像の入力にかかる時間を短縮した画像読取装置に関する。
【０００２】
【従来の技術】
現像後のネガフイルムを用いて印画紙等へ焼付作業を行う場合には、図８に示すように、キャリア９０でフィルムを搬送しつつ、コマ位置検出部９２により各コマ位置を検出し、プリント操作キーを操作して光源からの焼付光をネガフイルムを通して印画紙等へ露光するようになっている。
【０００３】
その際、かつては、ネガフイルムをネガキヤリアへ一本毎にセットして搬送しており、従って複数本のネガフイルムを順次焼付ける場合には、作業者がそのつどネガフイルムのセット及びプリント操作キーの操作を行うことが必要であった。
【０００４】
このような煩雑さを解消するために、複数本のネガフィルムをセットし、順次自動的に焼付装置に供給する例が開示されている（例えば、特許文献１〜５参照）。
【０００５】
特許文献１では、フィルム保持部が移動可能、又は固定されている装置であって、ネガフィルム取り出し手段が移動することによりネガフィルムを供給するネガフィルム供給装置が開示されている。特許文献２では、特許文献１に開示された装置のバリエーションであって、フィルム保持部が循環駆動するネガフィルム供給装置が開示されている。特許文献３では、特許文献１に開示された装置のバリエーションであって、積層状態のフィルム保持部が下方に移動するネガフィルム供給装置が開示されている。特許文献４では、特許文献１に開示された装置のバリエーションであって、フィルム保持部が回転ドラムに取り付けられたネガフィルム供給装置が開示されている。特許文献５では、いわゆるオートネガフィーダが開示されている。
【０００６】
【特許文献１】
特許第２６９３０４８号公報
【特許文献２】
特開平０４−２５４８４５号公報
【特許文献３】
特開平０４−２５７８５５号公報
【特許文献４】
特開平０４−２６４５４１号公報
【特許文献５】
特許第２６６９５６８号公報
【０００７】
【発明が解決しようとする課題】
しかし、ネガフィルムを自動的に供給することができても、高速で処理するフィルム供給装置では、画像入力にかかる時間を更に短縮したいという要望が出されていた。
【０００８】
なお、ネガフィルムを透過した光を感光材料に直接に露光するアナログ式のミニラボに限らず、フィルム上の画像情報をＣＣＤ素子で一旦取り込んだ後、別途に露光するデジタル式のミニラボであっても、上記のような要望が同様に出されていた。
【０００９】
本発明は上記事実を考慮し、フィルム画像の入力にかかる時間を短縮した画像読取装置を提供することを課題とする。
【００１０】
【課題を解決するための手段】
本発明者は、フィルムを供給してから画像情報のスキャニングまでの時間が長い場合が頻繁に生じていることに着目した。そして、以下のことを見い出した。
【００１１】
キャリア（フィルムキャリア）内の搬送路では、コマ位置を検出するコマ位置検出部から画像読取部までの距離が短いため、コマ位置検出を画像読取位置からせいぜい３〜４コマ程度までしか遡って読み取ることができない。このため、従来のキャリアでは、露光条件不良により画像を読み取れないコマが３〜４コマ以上連続して存在するネガフィルムの場合には画像読取部をスキップさせるため、途中から読み込み可能なコマを検出すると、ネガフィルムの送り量のずれが生じることを防止するためにネガフィルムの搬送方向を逆転させている。そして、この逆方向への搬送によって、ネガフィルムを供給してから画像情報のスキャニングまでの時間が大幅に長くなっている。
【００１２】
また、ネガフィルムに限らず、白黒フィルムやセピアフィルムであっても同様の現象が生じていることも見い出した。
【００１３】
そこで、本発明者は、この逆方向への搬送をしなくても済むようにすることにより画像入力にかかる時間を短縮することについて検討を重ね、本発明を完成するに到った。
【００１４】
請求項１に記載の発明は、フィルムがセットされると共に、セットされたフィルムを送り出すフィルムセット部と、前記フィルムセット部から送り出されたフィルムの各コマ画像の開始位置と、各コマ画像の外側に形成されたマークの位置と、を検出する第１検出手段と、前記第１検出手段で検出された各コマ画像の開始位置及びマークの位置に基づいて、開始位置に対応するコマ対応マーク位置を各コマ画像毎に設定して記憶する記憶手段と、前記第１検出手段の下流側に設けられ、各コマ画像毎にコマ対応マーク位置を検出する第２検出手段と、前記記憶手段の記憶内容と、前記第２検出手段から伝達された検出データと、に基づいて、各コマ画像をコマ番号順に読み取る画像読取部と、を有することを特徴とする。
【００１５】
フィルムセット部にセット可能なフィルム本数は特に限定せず、１本であっても複数本であってもよい。複数本セット可能にしておくことにより、１本のフィルムの画像読取りを終了した後、次のフィルムの画像を直ちに読取ることができ、画像入力の高速処理化に有利である。また、フィルムの種類はネガフィルムに限定せず、リバーサルフィルム（ポジフィルム）、白黒フィルム、セピアフィルムなどであっても良い。第２検出手段は、効率良く搬送する観点上、フィルムキャリア内に設けられていることが多い。
【００１６】
検出にかかる時間の短縮化、及び、装置の小型化を考慮すると、第１検出手段はフィルムセット部の下流側直後に設けられていることが好ましい。また、マークの形成し易さを考慮すると、マークはフィルム側縁部に形成されていることが好ましい。
【００１７】
フィルムセット部から送り出されたフィルムは、第１検出手段によって、開始位置及びマークの位置が各コマ画像毎に読み取られる。
【００１８】
そして、読み取った開始位置及びマークの位置に基づいて、開始位置に対応するコマ対応マーク位置を各コマ画像毎に記憶手段が算出して記憶する。
【００１９】
更に、各コマ画像毎にコマ対応マーク位置を第２検出手段が検出して画像読取部に伝達し、記憶手段に記憶されたコマ対応マーク位置に基づいて画像読取部が順次画像を読み取る。
【００２０】
これにより、従来のようにフィルムを逆方向に搬送する必要が全くなくなり、コマ位置検出にかかる時間が大幅に短縮され、画像入力にかかる時間が著しく短縮される。
【００２１】
請求項２に記載の発明は、前記第１検出手段によって検出できなかったコマ画像の開始位置及びそれに対応するコマ対応マーク位置を、前記第１検出手段によってそのフィルムで検出できたコマ画像の開始位置及びそれに対応させて設定したコマ対応マーク位置に基づいて、前記記憶部が推算して記憶することを特徴とする。
【００２２】
これにより、第１検出手段で開始位置を読取ることができなかったコマ画像が存在しても、そのコマ画像の開始位置を記憶部が推算して記憶しているので、フィルムを逆方向に戻すことなく画像読取部でそのコマ画像を読み取ることができる。なお、フィルムの各画像の寸法や、隣り合う画像と画像との間隔は一般に均一なので、１つのコマ画像を読取ることができる限り、残り全てのコマ画像の開始位置とコマ対応マーク位置とを記憶部が推算することが可能である。
【００２３】
請求項３に記載の発明は、各コマ画像の外側に形成されたマークを、フィルムに形成されたパーフォレーションとすることを特徴とする。これにより、マークをフィルムに新たに形成する必要がなくなると共に、画像読取部での画像情報の読込みをスムーズに行うことができる。マークがバーコードであってもよい。
【００２４】
請求項４に記載の発明は、前記第１検出手段と前記第２検出手段との間に、フィルムの表裏及び種類の少なくとも一方を判定し判定結果を前記画像読取部へ伝達する判定手段を有することを特徴とする。判定手段を設ける位置は、第１検出手段の直後であってもよいし、第２検出手段のやや上流位置であってもよい。
【００２５】
請求項４に記載の発明により、スキャンする以前にフィルムの表裏及び種類の片方又は両方を判定することができるので、フィルムの表裏及び種類の判定にかかる時間を短縮することができる。また、フィルムの種類を判定して画像読取部に伝達する場合、フィルムが画像読取部の読取位置に到達するまでに、予め画像読取部のモード変更をしておくことができるので、このモード変更することにかかる時間を大幅に短縮することができる。モード変更するとは、例えば、光源から発する光をグリーン光としてＣＣＤ蓄積電荷数を変更することなどである。
【００２６】
請求項５に記載の発明は、前記判定手段は、フィルムに印刷されたバーコードを検出して判定することを特徴とする。この場合、判定手段がバーコード検出センサを有していることが多い。
【００２７】
請求項５に記載の発明により、バーコードが付されているフィルム（ネガフィルムやセピアフィルムなど）では、バーコードを検出することによってフィルムの表裏や種類の判定を行うことができる。
【００２８】
ところで、バーコードが付されていないフィルム、すなわち白黒用のフィルムでは、赤外光センサによってフィルム上の銀を検出することにより、白黒用かカラー用かを判別することができる。
【００２９】
そこで、請求項６に記載の発明は、前記判定手段は、フィルム上の銀を赤外光により検出して判定することを特徴とする。この場合、判定手段が赤外光センサを有していることが多い。請求項６に記載の発明により、フィルムＦの種類を迅速かつ確実に判定することができる。
【００３０】
また、高精度でかつ短時間で画像を読取るためには、画像を精細に読み取るファインスキャンを行う前にプレスキャンを行っておくことが望ましい。
【００３１】
そこで、請求項７に記載の発明は、前記画像読取部よりも上流側に、フィルムのプレスキャンを行うプレスキャン部を設けたことを特徴とする。これにより、プレスキャンを画像読取部で行う必要がなくなり、画像の読取りにかかる時間を短縮することができる。
【００３２】
装置の小型化を考慮すると、プレスキャン部を設ける位置は、フィルムセット部の下流側直後か、又は、フィルムセット部内であることが好ましい。
【００３３】
プレスキャン部は、フィルム濃度を計測する濃度計を有してプレスキャンを行う構成であってもよいし、ライン型若しくはエリア型のイメージセンサを有してイメージセンサによる測定値によりプレスキャンを行う構成であってもよく、プレスキャン部の構成、作用は特に限定しない。
【００３４】
【発明の実施の形態】
以下、フィルムとしてネガフィルムの画像を読み取る例を実施形態として挙げ、本発明の実施の形態について説明する。なお、第２形態、第３形態では、第１形態と同様の構成要素には同じ符号を付してその説明を省略し、第４形態では、第２形態と同様の構成要素には同じ符号を付してその説明を省略する。
【００３５】
［第１形態］
図１〜図４に示すように、第１形態に係る画像読取装置１０は、複数本のネガフィルムＦ（以下、単にフィルムＦという）をセット可能であるネガセッタ１２を有する。ネガセッタ１２は、Ｕ方向にスライド移動して、ネガフィルムを順次送り出すようになっている。
【００３６】
また、画像読取装置１０は、ネガセッタ１２の下流側（フィルム送出口側）の直後位置に第１検出部１４を有する。第１検出部１４は、図４に示すように、搬送されてきたフィルムＦの各コマ画像の開始位置（例えば、開始位置１Ｓ、２Ｓ、３Ｓ）と、フィルム側縁部に形成されている全てのパーフォレーションＰの位置と、を検出し、後述の画像読取部４４の記憶部４８にこの情報を伝達するようになっている。
【００３７】
更に、画像読取装置１０は、第１検出部１４の下流側でフィルムＦを収容するネガリザーバ１８を有する。
【００３８】
ネガリザーバ１８は、縦長状のリザーバ本体２０と、第１検出部１４から搬送されてきたフィルムＦを挟んで送る一対の送りローラ２２Ａ、２２Ｂと、送りローラ２２Ａ、２２Ｂの下流側に設けられた一対の送りローラ２２Ｃ、２２Ｄと、を有する。リザーバ本体２０の寸法は、フィルムＦが長尺であっても収容できるように決められている。
【００３９】
送りローラ２２Ｄは、送りローラ２２Ｃとの間にフィルムＦの挟持、非挟持の切替を可能にするために上下動可能にされている。また、ネガリザーバ１８は、リザーバ本体２０の中央上部に設けられ、リザーバ本体２０の底部にまで移動可能なフィルム押し下げローラ２４を有する。フィルム押し下げローラ２４によって、フィルムＦをリザーバ本体２０の中に収容可能にしている。
【００４０】
また、画像読取装置１０は、ネガリザーバ１８の下流側に接続されたネガフィーダ２６を有する。ネガフィーダ２６は、複数本のフィルムを連続して送る際にフィルム同士が衝突することを防止するための上流側先後端検出センサ３０、及び、下流側先後端検出センサ３２を有する。また、ネガフィーダ２６は、上流側先後端検出センサ３０と下流側先後端検出センサ３２との間に設けられた送りローラ３４、３５、３６を有しており、送りローラ３５、３６によってフィルムに弛みを形成して搬送する。
【００４１】
更に、画像読取装置１０は、ネガフィーダ２６の下流側に接続されたキャリア４０を有する。キャリア４０は、全てのパーフォレーションＰの位置を検出する第２検出部４２を有する。また、キャリア４０はキャリア内センサ４６を有しており、キャリア内センサ４６を通過すると、後述のネガキャッチャ５０がフィルムをネガ受け箱５４へ送り出すようになっている。
【００４２】
更に、画像読取装置１０は、第２検出部４２よりも下流側の位置で、搬送されてきたフィルムＦの画像を読み取る画像読取部４４を有する。
【００４３】
画像読取部４４は、演算機能を有すると共にデータを記憶する記憶部４８を備えている。記憶部４８は、各コマ画像の開始位置と各パーフォレーション位置とを第１検出部１４から受信し、各コマ画像の開始位置に対応するパーフォレーション位置（以下、コマ対応パーフォレーション位置という）を算出して記憶するようになっている。
【００４４】
具体的な例を挙げて説明すると、図４に示すように、まず、第１検出部１４は、フィルムＦの側縁部に形成された全てのパーフォレーションＰ、及び、フィルムＦの全てのコマ画像の開始位置を検出する。そして、記憶部４８は、第１検出部１４からデータを受信し、各コマ画像の開始位置に対応するコマ対応パーフォレーション位置（例えば、コマ画像１Ｇのコマ対応パーフォレーションＰ１、コマ画像２Ｇのコマ対応パーフォレーションＰ２、コマ画像３Ｇのコマ対応パーフォレーションＰ３）を設定して記憶する。その際、ｋ番目のパーフォレーションから何秒後にコマ番号１のコマ画像１Ｇの開始位置１Ｓが到達し、ｍ番目のパーフォレーションから何秒後にコマ番号２のコマ画像２Ｇの開始位置２Ｓが到達し、ｎ番目のパーフォレーションから何秒後にコマ番号３のコマ画像３Ｇの開始位置３Ｓが到達する、というように記憶する（ｋ、ｍ、ｎは、ｋ＜ｍ＜ｎを満たす自然数）。
【００４５】
パーフォレーションの検出は容易なので、第１検出部１４は全てのパーフォレーションを確実に検出することができる。一方、コマ画像の開始位置は、露光不良等により第１検出部１４が検出できない場合がある。この場合、記憶部４８は、第１検出部１４で検出できなかったコマ画像の開始位置と、それに対応するコマ対応パーフォレーション位置とを、そのフィルムで検出できたコマ画像の開始位置と、それに対応するコマ対応パーフォレーション位置と、に基づいて推算して記憶するようになっている。
【００４６】
具体的な例を挙げて説明すると、図４に示すように、フィルムＦの先頭端Ｔから開始位置１Ｓまでの間隔ａ、先頭端Ｔから開始位置２Ｓまでの間隔ｂ、及び、先頭端Ｔから開始位置３Ｓまでの間隔ｃとの関係は、
ｂ＝ａ＋（ｃ−ａ）／２
となる。従って、露光量不足等の原因により、コマ番号２のコマ画像２Ｇを読み取ることができない場合、すなわち、開始位置２Ｓを読み取ることができない場合、記憶部４８は、上記の関係式を用いて開始位置２Ｓを推算して記憶すると共に、開始位置２Ｓに対応するコマ対応パーフォレーションＰ２を推算して記憶する。
【００４７】
このような記憶部４８を有する画像読取部４４は、第２検出部４２から全てのパーフォレーションＰの検出データを受信し、記憶部４８の記憶内容に照らし合わせて、各コマの画像をコマ番号毎に読み取るようになっている。
【００４８】
画像読取部４４の下流側にはネガキャッチャ５０が接続され、ネガキャッチャ５０の下流側にはネガ受け箱５４が接続されている。ネガキャッチャ５０には、送り出しトリガセンサ５６が設けられている。
【００４９】
以下、画像読取装置１０でフィルムの画像を読み取る作用について説明する。
【００５０】
まず、画像の読取処理を行うフィルムＦをネガセッタ１２にセットする。その際、送りローラ２２Ｄは下方へ下げておく。フィルムを複数本セットしてもよい（例えば図３に示すように、３本のフィルムＦ１〜Ｆ３をそれぞれセットしてもよい）。
【００５１】
そして、ネガセッタ１２から１本目のフィルムＦを送り出すと、第１検出部１４が各コマ画像の開始位置と全てのパーフォレーションＰとを検出し、検出データを記憶部４８に送信する。第１検出部１４でのフィルム送り速度は、例えば３３０ｍｍ／ｓである。
【００５２】
記憶部４８は、第１検出部１４から送信されてきた検出データに基づいて、開始位置に対応するコマ対応パーフォレーション（コマ対応パーフォレーションＰ１、Ｐ２、Ｐ３など）を各コマ画像毎に設定して記憶する。その際、第１検出部１４で検出できなかった開始位置が存在した場合、上述したように、記憶部４８は、フィルムＦで検出できた開始位置と、それに対応するコマ対応パーフォレーション位置と、に基づいて、検出できなかった開始位置を推算して記憶する。
【００５３】
更に、フィルムＦを送りローラ２２Ａ、２２Ｂによって送ると共に、送りローラ２２Ｄを上昇させてフィルムＦを送りローラ２２Ｃ、２２Ｄで軽く挟む。
【００５４】
そして、フィルムＦの送り速度に合わせてフィルム押し下げローラ２４を下降させる。これにより、フィルムＦの後端が第１検出部１４を通過した後、フィルムＦはネガリザーバ１８内に収容される。
【００５５】
ネガリザーバ１８から搬出されたフィルムＦは、ネガフィーダ２６へ搬送される。ネガフィーダ２６では、上流側先後端検出センサ３０によって通過したことが検出され、送りローラ３５、３６によって弛み（ループ）を付けて送られ、更に、下流側先後端検出センサ３２によって通過したことが検出される。上流側先後端検出センサ３０からの検出信号は、ネガセッタ１２に送信され、ネガセッタ１２は、この検出信号を受信すると次のフィルムを送り出す。
【００５６】
ネガフィーダ２６から搬出されたフィルムＦはキャリア４０へ搬送される。キャリア４０では、第２検出部４２が全てのパーフォレーションＰを順次検出し、検出データを記憶部４８に伝達する。
【００５７】
画像読取部４４は、記憶部４８に記憶された記憶データ（すなわち、各コマ画像の開始位置及びそれに対応するコマ対応パーフォレーション）と、第２検出部４２で検出された検出データと、に基づいて、スキャン位置を正確にして各コマ画像をコマ画像毎に読み取る。
【００５８】
このように、第１形態では、記憶部４８に記憶された、各コマ画像の開始位置及びそれに対応するコマ対応パーフォレーションと、第２検出部４２で検出された検出データと、に基づいて画像読取部４４がフィルムＦの画像を順次読み取る。これにより、従来の画像読取装置では画像を読み取れないコマが存在しても、コマ対応パーフォレーションに対応させて、そのコマ画像の開始位置を画像読取部４４が正確に推算してコマ画像を読み取ることができる。従って、従来のようにフィルムＦを逆方向に搬送する必要が全くなくなり、コマ位置検出にかかる時間が大幅に短縮され、画像入力にかかる時間が著しく短縮される。
【００５９】
また、ネガリザーバ１８を設けているので、先のフィルムがネガリザーバ１８から送り出された後、次のフィルムの先頭のパーフォレーションを第１検出部１４で検出してそのフィルムをネガリザーバ１８に待機させておくことができ、効率良くフィルムを順次送り出すことができる。
【００６０】
［第２形態］
図５に示すように、第２形態に係る画像読取装置６０は、第１形態に比べ、キャリア４０（図２参照）に代えて、フィルムの種類を判定して画像読取部４４へ伝達する判定部６４が設けられたキャリア６５を備えている。これにより、画像読取部４４でスキャンする以前にフィルムの表裏及び種類の片方又は両方を判定して、フィルムＦを搬送しつつ画像読取部４４のモード変更を行うことができるので、フィルムＦを送ってから画像読取処理を終了するまでにかかる時間を大幅に短縮することができる。
【００６１】
判定部６４が、バーコード検出センサを有してネガフィルムに印刷されたバーコードを検出し、フィルムＦの表裏及び種類（白黒フィルム、カラーフィルム等の種類）を判定してもよい。
【００６２】
また、判定部６４は、赤外光センサを更に有してフィルム上の銀を検出することにより、フィルムＦの種類を迅速かつ確実に判定してもよい。
【００６３】
［第３形態］
図６に示すように、第３形態に係る画像読取装置７０では、第１形態に比べ、ネガセッタ１２（図２参照）に代えて、プレスキャン部７１を有するネガセッタ７２を設けている。プレスキャン部７１は、スキャン結果を画像読取部４４へ伝達するようになっている。
【００６４】
これにより、プレスキャンを画像読取部４４で行う必要がなくなり、画像の読取りにかかる時間を短縮することができる。また、ネガセッタ７２内にプレスキャン部７１を設けているので、装置の小型化を図ることができる。
【００６５】
プレスキャン部７１は、フィルム濃度を計測する濃度計を備え、フィルム濃度を計測することによりプレスキャンを行う構成であってもよいし、ライン型若しくはエリア型のイメージセンサを有して、イメージセンサによりプレスキャンを行う構成であってもよい。
【００６６】
［第４形態］
第４形態に係る画像読取装置は、第２形態で、更に、シーケンスの単純化を図り、ネガフィルムのスキャン中に次にスキャンするネガフィルムのコマ位置検出を終了しておく例である。
【００６７】
図７は、第４形態で行う工程を示すフローチャート図である。第４形態では、まず、複数本のネガフィルムをネガセッタ１２にセットし（ステップＳ１）、画像読取装置の動作を開始させる（ステップＳ２）。この結果、ネガセッタ１２から１本目のフィルムがネガリザーバ１８へ送り出され（ステップＳ３）、第１検出部１４で、全てのパーフォレーションが検出される（ステップＳ４）。その際、バーコードの検出やプレスキャンを行ってもよい。第１検出部１４でフィルム後端が検出されたら、２本目のフィルムを送り出せるように、ネガセッタ１２を移動させる。
【００６８】
その後、フィルムはネガフィーダ２６へ送られ（ステップＳ５）、キャリア６５内での搬送中に画像読取部４４がスキャンを行う（ステップＳ６）。その際、判定部６４がフィルムの種類を判定し、フィルム種類に応じて画像読取部４４が読取条件のモード変更を行う。
【００６９】
更に、上流側先後端検出センサ３０がＯＮからＯＦＦの状態に変化する（ステップＳ７）。なお、上流側先後端検出センサ３０がＯＮからＯＦＦの状態に変化することは、フィルム後端が上流側先後端検出センサ３０を通過し終えたことを意味する。
【００７０】
更に、下流側先後端検出センサ３２がＯＮからＯＦＦの状態に変化する（ステップＳ８）。なお、下流側先後端検出センサ３２がＯＮからＯＦＦの状態に変化することは、フィルム後端が下流側先後端検出センサ３２を通過し終えたことを意味する。
【００７１】
その後、キャリア内センサ４６がＯＮからＯＦＦの状態に変化すると（ステップＳ９）、１本目のフィルムはネガキャッチャ５０に送られる（ステップＳ１０）。そして、送り出しトリガセンサ５６がＯＮからＯＦＦの状態に変化すると（ステップＳ１１）、ネガ受け箱５４に１本目のフィルムが投入される（ステップＳ１２）。
【００７２】
一方、ステップＳ７が行われると、その旨がネガセッタ１２に伝達され、ネガセッタ１２は２本目のフィルムをネガリザーバ１８へ送る（ステップＳ１３）。その際、第１検出部１４で全てのパーフォレーションが検出される（ステップＳ１４）。第１検出部１４でフィルム後端が検出されたら、３本目のフィルムを送り出せるように、ネガセッタ１２を移動させる。
【００７３】
そして、上流側先後端検出センサ３０がＯＦＦからＯＮの状態に変化すると（ステップＳ１５）、２本目のフィルムが１本目のフィルムと衝突することを回避するために、ネガリザーバ１８は２本目のフィルムの搬送を停止する（ステップＳ１６）。なお、上流側先後端検出センサ３０がＯＦＦからＯＮの状態に変化することは、フィルム先頭が上流側先後端検出センサ３０の位置にまで到達したことを意味する。
【００７４】
ステップＳ８が行われると、その旨がネガフィーダ２６に伝達され、ネガフィーダ２６は２本目のフィルムの搬送を再開する（ステップＳ１７）。そして、下流側先後端検出センサ３２がＯＦＦからＯＮの状態に変化すると（ステップＳ１８）、２本目のフィルムが１本目のフィルムと衝突することを回避するために、ネガフィーダ２６は２本目のフィルムの搬送を停止する（ステップＳ１９）。
【００７５】
ステップＳ１１が行われると、ネガフィーダ２６は搬送を再開し（ステップＳ２０）、２本目のフィルムはネガフィーダ２６からキャリア６５へ送られ、キャリアスキャンが行われる（ステップＳ２１）。
【００７６】
更に、上流側先後端検出センサ３０がＯＮからＯＦＦの状態に変化する（ステップＳ２２）。
【００７７】
更に、下流側先後端検出センサ３２がＯＮからＯＦＦの状態に変化する（ステップＳ２３）。
【００７８】
その後、キャリア内センサ４６がＯＮからＯＦＦの状態に変化すると（ステップＳ２４）、２本目のフィルムはネガキャッチャ５０に送られる（ステップＳ２５）。そして、送り出しトリガセンサ５６がＯＮからＯＦＦの状態に変化すると（ステップＳ２６）、ネガ受け箱５４に２本目のフィルムが投入される（ステップＳ２７）。
【００７９】
一方、ステップＳ２２が行われると、その旨がネガセッタ１２に伝達され、ネガセッタ１２は３本目のフィルムをネガリザーバ１８へ送る（ステップＳ２８）。その際、全てのパーフォレーションの検出が行われる（ステップＳ２９）。そして、上流側先後端検出センサ３０がＯＦＦからＯＮの状態に変化すると（ステップＳ３０）、３本目のフィルムが２本目のフィルムと衝突することを回避するために、ネガリザーバ１８は３本目のフィルムの搬送を停止する（ステップＳ３１）。
【００８０】
ステップＳ２３が行われると、その旨がネガフィーダ２６に伝達され、ネガフィーダ２６は３本目のフィルムの搬送を再開する（ステップＳ３２）。そして、下流側先後端検出センサ３２がＯＦＦからＯＮの状態に変化すると（ステップＳ３３）、ネガフィーダ２６は搬送を停止する（ステップＳ３４）。
【００８１】
更に、ステップＳ２６が行われると、ネガフィーダ２６は搬送を再開し、３本目のフィルムはネガフィーダ２６からキャリア６５へ送られる（ステップＳ３５）。
【００８２】
３本目のフィルムは、この後、１本目や２本目のフィルムと同様にしてネガ受け箱５４に投入される。
【００８３】
以下、同様にして、ネガセッタ１２にセットされているフィルムが順次搬送され、画像が読み取られた後、ネガ受け箱５４に投入される。
【００８４】
以上説明したように、本実施形態では、ネガセッタ１２にセットされた複数本のフィルムを搬送する際、上流側先後端検出センサ３０、下流側先後端検出センサ３２、及び、送り出しトリガセンサ５６の検出により、先のフィルムの後端が通過した後、次のフィルムの搬送を開始、或いは再開しており、これにより、効率良くしかも互いに衝突しないように順次搬送することができる。なお、これらのセンサが、フィルム後端の通過終了を検出する代わりに、フィルムの最後端のパーフォレーションの到達を検出してもよい。
【００８５】
更に、本実施形態では、第３形態で説明したネガセッタ７２（図６参照）を用いてプレスキャン部７１でプレスキャンするフローを行ってもよい。
【００８６】
以上、実施形態を挙げて本発明の実施の形態を説明したが、上記実施形態は一例であり、要旨を逸脱しない範囲内で種々変更して実施できる。例えば、ネガフィルムでなく、他の種類のフィルムであっても実施することが可能である。また、本発明の権利範囲が上記実施形態に限定されないことは言うまでもない。
【００８７】
【発明の効果】
本発明は上記構成としたので、フィルム画像の入力にかかる時間を短縮した画像読取装置を実現させることができる。
【図面の簡単な説明】
【図１】第１形態に係る画像読取装置の斜視図である。
【図２】第１形態に係る画像読取装置の構成を示す側面断面図である。
【図３】第１形態に係る画像読取装置のネガセッタを示す斜視図である（フィルムを３本セットしている状態で示す）。
【図４】ネガフィルムの平面図である。
【図５】第２形態に係る画像読取装置の構成を示す側面断面図である。
【図６】第３形態に係る画像読取装置の構成を示す側面断面図である。
【図７】第４形態に係る画像読取装置で行う工程を示すフローチャート図である。
【図８】従来の画像読取装置のキャリアの構成を示す平面図である。
【符号の説明】
１Ｓ、２Ｓ、３Ｓ  開始位置
Ｐ  パーフォレーション
Ｐ１、Ｐ２、Ｐ３  コマ対応パーフォレーション（コマ対応マーク）
１０  画像読取装置
１２  ネガセッタ（フィルムセット部）
１４  第１検出部（第１検出手段）
４２  第２検出部（第２検出手段）
４４  画像読取部
４８  記憶部（記憶手段）
６０  画像読取装置
６４  判定部
７０  画像読取装置
７１  プレスキャン部
７２  ネガセッタ（フィルムセット部）
【図１】
2004282196.tif 000003
【図２】
2004282196.tif 000004
【図３】
2004282196.tif 000005
【図４】
2004282196.tif 000006
【図５】
2004282196.tif 000007
【図６】
2004282196.tif 000008
【図７】
2004282196.tif 000009
【図８】
2004282196.tif 000010